(57)【要約】【課題】  音声用孔における音声の良好な入出力状態を確保しつつ装置本体に配置された音響部材への静電気の印加を抑制することができる撮像装置を提供する。【解決手段】  カメラ本体１と、カメラ本体１を覆う筐体１９と、筐体１９に設けられた音声入出力用の孔部１００（２００）と、音声入出力用の孔部に対向して装置本体内に配置されたマイク２０と、マイク２０の音声用孔２０ａに対向して形成された音声入出力孔２３ａを備えマイク２０と筐体１９との間でマイク２０を保持する導電性の保持部材２３と、保持部材２３に接続されたグランドプレート２５を備え、保持部材２３は、音声入出力孔２３ａの外周面から中心に向かって延びる突起部２６を備え、突起部は、音声入出力方向に沿って見た平面図上、マイク２０の音声用孔２０ａの外周面から中心に向かって突出している。【選択図】  図３
2020113847.tif 000002
【特許請求の範囲】
【請求項１】
装置本体と、
前記装置本体を覆う筐体と、
前記筐体に設けられた音声入出力用の孔部と、
前記音声入出力用の孔部に対向する前記装置本体に配置された音響部材と、
前記音響部材に設けられた音声用孔に対向して形成された音声入出力孔を備え、前記音響部材と前記筐体との間で前記音響部材を保持する導電性の保持部材と、
前記保持部材に接続されたグランド部材と、
を備え、
前記保持部材は、前記音声入出力孔の外周面から当該音声入出力孔の中心に向かって延びる導電性の突起部を備え、前記突起部は、前記音声入出力用の孔部から前記音響部材を見た平面図上、前記音響部材の音声用孔の外周面から当該音声用孔の中心に向かって突出していることを特徴とする撮像装置。
【請求項２】
前記平面図上、前記突起部の先端部から前記音響部材の音声用孔の中心までの距離Ｌｂが、前記音響部材の音声用孔の半径Ｒａよりも小さいことを特徴とする請求項１記載の撮像装置。
【請求項３】
前記平面図上、前記突起部の先端部から前記音響部材の音声用孔の中心までの距離Ｌｂと、前記音響部材の音声用孔の半径Ｒａと、前記保持部材の音声入出力孔の半径Ｒｃは、Ｌｂ＜Ｒａ＜Ｒｃで表される関係であることを特徴とする請求項１又は２記載の撮像装置。
【請求項４】
前記突起部は、前記保持部材の音声入出力孔の外周面の一部を当該音声入出力孔の中心に向かって突出させたものであることを特徴とする請求項１乃至３の何れか１項に記載の撮像装置。
【請求項５】
前記突起部は、根元部から先端部にかけて順次細くなるように形成されていることを特徴とする請求項４記載の撮像装置。
【請求項６】
前記突起部の前記音響部材に対向する面は、前記根元部から前記先端部にかけて前記音響部材から離れる方向に傾斜していることを特徴とする請求項５記載の撮像装置。
【請求項７】
前記突起部は、前記保持部材の音声入出力孔の周方向に沿って等間隔に複数設けられていることを特徴とする請求項１乃至６の何れか１項に記載の撮像装置。
【請求項８】
前記保持部材は、弾性の押圧部材を介して前記音響部材を保持していることを特徴とする請求項１乃至７の何れか１項に記載の撮像装置。
【請求項９】
前記押圧部材は、前記音響部材の音声用孔に対向して形成された音声入出力孔を備えていることを特徴とする請求項８記載の撮像装置。
【請求項１０】
前記押圧部材と前記保持部材との当接面における前記押圧部材の音声入出力孔の周囲に、前記保持部材の環状の凹部に嵌合する環状の突出部が設けられていることを特徴とする請求項８又は９記載の撮像装置。
【請求項１１】
前記音響部材の音声用孔、前記押圧部材の音声入出力孔、及び前記保持部材の音声入出力孔は、前記平面図上、同心円状に配置されていることを特徴とする請求項９又は１０記載の撮像装置。
【請求項１２】
前記平面図上、前記突起部の先端部から前記音響部材の音声用孔の中心までの距離Ｌｂと、前記音響部材の音声用孔の半径Ｒａと、前記押圧部材の音声入出力孔の半径Ｒｂと、前記保持部材の音声入出力孔の半径Ｒｃは、Ｌｂ＜Ｒａ＜Ｒｂ＜Ｒｃで表される関係であることを特徴とする請求項１１記載の撮像装置。
【請求項１３】
前記音響部材は、マイクロフォン又はスピーカーであることを特徴とする請求項１乃至１２の何れか１項に記載の撮像装置。
【発明の詳細な説明】
【技術分野】
【０００１】
本発明は、撮像装置に関し、特に、外筐の内部の装置本体に配置された音響部材へ音声を入力し、又は音響部材から音声を出力する音声用孔における音声の良好な入出力状態を確保すると共に、音響部材への静電気の印加を抑制することができる撮像装置に関する。
【背景技術】
【０００２】
撮像装置には、外筐の一部に孔形成部が設けられ、該孔形成部に対向する装置本体に音響部材を埋設し、音声用孔を介して音響部材であるマイクロフォンに音声が入力され、又はスピーカーから音声が出力されるものがある。
【０００３】
このような撮像装置においては、外筐の孔形成部から音声用孔を介して装置本体の内部に静電気が侵入して装置本体内の音響部材に静電気が印加されるおそれがある。音響部材に静電気が印加されてしまうと、当該音響部材の故障や回路不良を生じるおそれがあり、このようなトラブルの発生を未然に防止するために静電気対策が施されている。
【０００４】
静電気対策としては、例えば、外筐の孔形成部の内側に導電板を配置し、該導電板によって音声用孔の周囲を囲むことによって、音声用孔の周りから装置本体の内部に侵入しようとする静電気を当該導電板を介してグランドに導いて放電する方法がある。
【０００５】
このような静電気対策を施した撮像装置に関する文献として、特許文献１が挙げられる。特許文献１には、複数設けられた音声用孔の周囲に逃げ孔を形成した導電板を配置し、該導電板の逃げ孔の端部壁面から複数の音声用孔相互間に向けて、該複数の音声用孔の並び方向に直交する方向へ突出する突起部を設けた撮像装置が開示されている。
【先行技術文献】
【特許文献】
【０００６】
【特許文献１】特開２０１０−１０３８２５号公報
【発明の概要】
【発明が解決しようとする課題】
【０００７】
しかしながら、上記静電気対策を施した撮像装置には、以下のような問題がある。すなわち、音声用孔相互間に延びた突起部の近傍から侵入しようとする静電気は導電板の一部である突起部に帯電し易くなるので、突起部の近傍を通過する静電気は音響部材に印加され難くなる。一方、導電板の突起部は音声用孔の周囲にしか存在しないので、音声用孔の中心部から侵入しようとする静電気を導電板に帯電させることが困難となり、音声用孔の中心部を経て静電気が内部の音響部材にまで達して印加するおそれがある。
【０００８】
音声用孔における音声の良好な入出力状態を確保するためには音声用孔を大きくすることが望ましいが、音声用孔を大きくすると導電板が存在しない部分の面積が広くなるので、静電気が音響部材に印加される可能性が高くなってしまう。
【０００９】
本発明の目的は、かかる状況に鑑み、音声用孔における音声の良好な入出力状態を確保しつつ、外筐の内部の装置本体に配置された音響部材への静電気の印加を抑制することができる撮像装置を提供することにある。
【課題を解決するための手段】
【００１０】
上記目的を達成するために、請求項１記載の撮像装置は、装置本体と、前記装置本体を覆う筐体と、前記筐体に設けられた音声入出力用の孔部と、前記音声入出力用の孔部に対向する前記装置本体に配置された音響部材と、前記音響部材に設けられた音声用孔に対向して形成された音声入出力孔を備え、前記音響部材と前記筐体との間で前記音響部材を保持する導電性の保持部材と、前記保持部材に接続されたグランド部材と、を備え、前記保持部材は、前記音声入出力孔の外周面から当該音声入出力孔の中心に向かって延びる導電性の突起部を備え、前記突起部は、前記音声入出力用の孔部から前記音響部材を見た平面図上、前記音響部材の音声用孔の外周面から当該音声用孔の中心に向かって突出していることを特徴とする。
【発明の効果】
【００１１】
本発明によれば、音響部材を保持する導電性の保持部材の音声入出力孔の外周面から中心に向かって延びる突起部を設け、該突起部を、筐体の音声入出力用の孔部から音響部材を見た平面図上、音響部材の音声用孔の外周部から中心方向に突出させた。これによって、音響部材の音声用孔から侵入しようとする静電気を突起部によって捕捉できるので、音声用孔における音声の良好な入出力状態を確保しつつ、装置本体内に配置された音響部材への静電気の印加を抑制することができる。
【図面の簡単な説明】
【００１２】
【図１】本発明の実施の形態に係る撮像装置の概略構成を示す斜視図であり（ａ）は、正面側の斜視図、（ｂ）は、背面側の斜視図である。
【図２】図１の撮像装置における音声入力用の孔部の近傍の構造を示す要部分解斜視図である。
【図３】図１の撮像装置における音声入出力部の構造を示す図であり、（ａ）は平面図、（ｂ）は（ａ）の要部拡大図、（ｃ）は（ａ）のＡ−Ａ線断面図である。
【図４】図１の撮像装置に対応する撮像装置であって従来装置の音声入出力部の構造を示す図であり、（ａ）は、図３（ｂ）に対応する要部拡大図、（ｂ）は、図３（ｃ）に対応するＡ−Ａ線断面図である。
【図５】本発明の変形例における音声入出力部の構造を示す図であり、（ａ）は、図３（ｂ）に対応する要部拡大図、（ｂ）は、図３（ｃ）に対応するＡ−Ａ線断面図である。
【発明を実施するための形態】
【００１３】
以下、本発明の実施の形態について図面を参照しつつ詳細に説明する。
【００１４】
図１は、本発明の実施の形態に係る撮像装置の概略構成を示す斜視図であり、（ａ）は、正面側（被写体側）の斜視図、（ｂ）は、背面側（撮影者側）の斜視図である。
【００１５】
図１において、撮像装置１は、デジタルカメラ（以下、単に「カメラ」という。）である。カメラ１の正面中央部には、ズーム式のレンズ鏡筒２が設けられている。レンズ鏡筒２の側面部にはズーム操作が可能なズームボタン３、被写体を撮影画角に捉えるための操作ボタン４及び５が設けられている。
【００１６】
カメラ１には、撮影者がカメラ本体を保持するためのグリップ部６が設けられており、グリップ部６の上部には、カメラ１に対して撮影者が撮影を指示するためのレリーズボタン７が設けられている。レリーズボタン７の周囲にはズームレバー８が設けられている。また、レリーズボタン７の後ろにはシャッター速度や絞り等の設定値を変更するための電子ダイヤル９が設けられている。なお、電子ダイヤル９は、背面の後述する液晶モニタ１０に表示されるメニューのコマンド操作、撮影画像、撮影動画の選択操作にも用いられる。
【００１７】
カメラ１の上部には、当該カメラ１のＯＮ／ＯＦＦを切り換える電源ボタン１１、及びカメラ１と他の電子機器とをＷｉ−Ｆｉを用いて無線接続するためのＷｉ−Ｆｉボタン１２が設けられている。カメラ１の上部には、また、撮影モードを設定するための回転操作部材である撮影モード設定ダイヤル１３が設けられている。また、カメラ１の上部中央には、ポップアップ式ストロボ１４、及び、音声入力用の孔部１００が設けられている。音声入力用の孔部１００は、外部の音声を装置本体内のマイクロフォン（以下「マイク」という。）に入力する音声入力孔として機能する。
【００１８】
カメラ１を正面側から見て向かって右側の側面には、外部音声入力ケーブル用のコネクタを覆うコネクタ蓋１５が開閉可能に設けられており、コネクタ蓋１５の隣には音声出力用の孔部２００が設けられている。音声出力用の孔部２００は、装置本体内に配置されたスピーカーから外部へ音声を出力するための音声出力孔として機能する。音声入力用の孔部１００と音声出力用の孔部２００を総称して音声入出力用の孔部という。
【００１９】
カメラ１の上部背面側には、ファインダ接眼窓１６が設けられており、ファインダ接眼窓１６の下側の背面中央部には、液晶モニタ１０が設けられている。液晶モニタ１０は、複数方向に回動可能に装置本体に取り付けられている。カメラ１の背面には、また、撮影者がグリップ部６を把持したときに親指での操作が可能な位置に、複数の背面ボタン１７が設けられている。また、カメラ１を背面側から見て向かって右側の側面には、外部出力ケーブル用のコネクタを覆うコネクタ蓋１８が開閉可能に設けられている。
【００２０】
次に、カメラ１の上部中央に設けられた音声入力用の孔部１００の近傍の構造について詳細に説明する。
【００２１】
図２は、図１の撮像装置における音声入力用の孔部１００の近傍の構造を示す要部分解斜視図である。
【００２２】
図２において、カメラ１は、カメラ本体の上部を形成する筐体としてトップカバー１９を備えている。トップカバー１９には、音声入力用の孔部１００が設けられている。音声入力用の孔部１００の内部の装置本体には、複数（図２では２つ）のマイク２０が配置されている。２つのマイク２０は、それぞれフレキシブルプリント基板２１の一部に搭載されており、各マイク２０とフレキシブルプリント基板２１の一部は、一体となって対応する押圧部材２２によって覆われている。押圧部材２２は、ゴムなどの弾性部材で構成されている。
【００２３】
音響機器（以下、「音響部材」という。）としてのマイク２０と、これを下方から支持するフレキシブルプリント基板２１の一部を覆う押圧部材２２は、その上部が保持部材２３によって保護されている。保持部材２３の上面には、音声入力用の孔部１００から内部部品が見えないようにするための目隠し部材２４が貼着されている。目隠し部材２４は、複数の孔が空いたメッシュ状のシートからなり、メッシュ部を避けた周辺部に対応するロの字形状の両面テープによって保持部材２３の上面に貼着されている。すなわち、２つのマイク２０と、フレキシブルプリント基板２１と、これらを覆う押圧部材２２と、その上部の保持部材２３と、保持部材２３に貼着された目隠し部材２４とが一体としてトップカバー１９の内部の装置本体に組み込まれている。
【００２４】
フレキシブルプリント基板２１は、片面フレキであり、当該フレキシブルプリント基板２１にはマイク２０をはじめとする電子部品が実装されている。また、フレキシブルプリント基板２１には、撮影モード設定ダイヤル１３の回転を検知するためのモードダイヤルパターン２７や、ズームレバー８の回動を検知するためのズームパターン２８などの導電パターンが形成されている。押圧部材２２のマイク２０の音声用孔２０ａに対向する位置に、音声入力孔としての孔部２２ａ（第１の孔部）が形成されている。
【００２５】
押圧部材２２を上方から保護する保持部材２３は、導電性部材、例えば、導電性の樹脂材料で構成されている。保持部材２３のマイク２０の音声用孔２０ａ及び押圧部材２２の第１孔部２２ａに対応する位置には、音声入力用の孔部２３ａ（第２の孔部）が形成されている。マイク２０とフレキシブルプリント基板２１の一部を一体に覆う押圧部材２２の下方には、押圧部材２２を支持するグランドプレート２５が配置されている。グランド部材としてのグランドプレート２５は、装置本体内で発生した静電気又は装置本体内に進入した静電気を放電させるアースとして機能する。
【００２６】
以下、カメラ１におけるマイク２０周辺の音声入出力部の構造について、従来の音声入出力部の構造と比較しつつ詳細に説明する。
【００２７】
図３は、図１の撮像装置における音声入出力部の構造を示す図であり、（ａ）は、音声入力用の孔部１００からマイク２０を見た平面図、（ｂ）は（ａ）の要部拡大図、（ｃ）は（ａ）のＡ−Ａ線断面図である。なお、図３の（ａ）では、トップカバー１９及び目隠し部材２４は、図示省略されている。また、図４は、図１の撮像装置１に対応する撮像装置であっ従来装置の音声入出力部の構造を示す図であり、（ａ）は、図３（ｂ）に対応する要部拡大図、（ｂ）は、図３（ｃ）に対応するＡ−Ａ線断面図である。なお、図４の（ａ）及び（ｂ）では、図３の（ｂ）及び（ｃ）と対応する同一箇所に対して同一の符号が付されている。
【００２８】
図３において、マイク２０と、該マイク２０が搭載されたフレキシブルプリント基板２１と、マイク２０とフレキシブルプリント基板２１の一部を覆う押圧部材２２と、該押圧部材２２の上部及び側部を保護する保持部材２３が複数組組み込まれている。
【００２９】
図３（ｃ）において、マイク２０は、フレキシブルプリント基板２１に実装されている。マイク２０及び該マイク２０を支持するフレキシブルプリント基板２１の一部は、一体として押圧部材２２によって覆われている。押圧部材２２にはマイク２０の音声用孔２０ａに対向するように、該音声用孔２０ａよりも大きな開口部である第１の孔部２２ａが形成されている。また、押圧部材２２は、該押圧部材２２の上部及び側部を保護する保持部材２３と、下部を支持するグランドプレート２５によって保持されている。保持部材２３にはマイク２０の音声用孔２０ａよりも大きく、かつ押圧部材２２の第１の孔部２２ａよりも大きな開口部である第２の孔部２３ａが形成されている。
【００３０】
保持部材２３の第２の孔部２３ａ、押圧部材２２の第１の孔部２２ａ、及びマイク２０の音声用孔２０ａは、上下方向に重なっており、平面図（図３（ｂ））上、同心円状に配置されている。これによって、音声入出力部における音声の良好な入出力状態が確保されている。装置本体の外部の音声は、保持部材２３の第２の孔部２３ａ、押圧部材２２の第１の孔部２２ａ、及びマイク２０の音声用孔２０ａを介してマイク２０に入力する。
【００３１】
保持部材２３の第２の孔部２３ａの半径Ｒｃ、押圧部材２２の第１の孔部２２ａの半径Ｒｂ、及び、マイク２０の音声用孔２０ａの半径Ｒａは、Ｒａ＜Ｒｂ＜Ｒｃで表される関係である。これにより、マイク２０の音声用孔２０ａに対する集音部の領域を狭めることなく、音声の良好な入力状態を確保することができる。
【００３２】
また、押圧部材２２の第１の孔部２２ａの周囲には、環状の突出部２２ｂが形成されており、突出部２２ｂは、押圧部材２２と保持部材２３との当接面からチャージ（突出）して保持部材２３に形成された環状の凹部に嵌合している。これによって、音声入力用の孔部１００から侵入した音声が保持部材２３の第２の孔部２３ａを通過した後、マイク２０方向とは異なる押圧部材２２の第１の孔部２２ａの周囲の領域へ周り込むことが防止され、音声のより良好な入力状態が確保される。
【００３３】
静電気対策用の構成部材としては、導電性の保持部材２３及び保持部材２３に接続されたグランドプレート２５が挙げられる。音声入力用の孔部１００から侵入する静電気は、導電性の樹脂材料からなる保持部材２３に帯電してグランドプレート２５まで伝達され、該グランドプレート２５から放電される。但し、静電気の侵入経路によっては、静電気が保持部材２３に帯電しない可能性があり、保持部材２３に帯電しない静電気がマイク２０に印加されてしまうおそれがある。従って、静電気を高い確率で保持部材２３に帯電させるためには、保持部材２３の第２の孔部２３ａの径Ｒｃを小さくしてマイク２０の音声用孔２０ａの径Ｒａに近付けることが考えられる。
【００３４】
しかしながら、保持部材２３の第２の孔部２３ａの半径Ｒｃを小さくすると、マイク２０への音声入力経路を狭めることになるので、音声の良好な入力状態を確保することが困難となる。
【００３５】
そこで、本実施の形態では、保持部材２３の第２の孔部２３ａの側面の一部を突出させて第２の孔部２３ａの中心に向かって延びる突起部２６を形成し、該突起部２６によって孔部２３ａを経て侵入しようとする静電気を捉えてグランドに放電させるようにした。突起部２６は、図３（ｂ）の平面図上、マイク２０の音声用孔２０ａの外周面から当該音声用孔の中心に向かって突出していることが好ましい。
【００３６】
図３（ｂ）において、保持部材２３の第２の孔部２３ａの外周面から該第２の孔部２３ａの中心に向かって延びるの突起部２６が設けられている。突起部２６は、先端へ行くに従って順次細くなる略三角形状に形成され、先端部２６ａが尖った形状になっている。なお、図３（ｃ）では、複数の音声入出力部のうち右側の音声入出力部では、突起部２６は図示省略されているが、本実施の形態では、全てのマイクに対応する音声入出力部の第２の孔部２３ａに同様の突起部２６が形成されている。
【００３７】
保持部材２３の第２の孔部２３ａに、平面図上、マイク２０の音声用孔２０ａの外周面から中心に向かって突出する突起部２６を設けたことにより、第２の孔部２３ａ及び音声用孔２０ａを経て装置内部に侵入しようとする静電気は突起部２６に捕捉される。捕捉された静電気は、保持部材２３を介してグランドプレート２５に伝達され、該グランドプレート２５から放電される。従って、保持部材２３に比較的大きな孔部２３ａを確保して音声の良好な入力状態を確保しつつ、音声入力用の孔部１００及び第２の孔部２３ａの中心部から侵入しようとする静電気のマイク２０への印加を回避することができる。また、突起部２６の先端部２６ａの形状を先細形状としたことによって、突起部２６を介して静電気が保持部材２３に帯電し易くなり、マイク２０への静電気の浸入及び印加を効率よく防止できるようになる。
【００３８】
これに対して、保持部材２３の第２の孔部２３ａの側面から当該第２の孔部２３ａの中心部に向かって延びる突起部２６が設けられていない図４の撮像装置では、マイク２０の音声用孔２０ａを経て内部に侵入しようとする静電気を捉えることが困難である。
【００３９】
すなわち、図４に示した従来の撮像装置では、保持部材２３の第２の孔部２３ａの側面から当該第２の孔部２３ａの中心に向かって延びる突起部２６が設けられていない。従って、保持部材２３の第２の孔部２３ａ、押圧部材２２の第１の孔部２２ａ、及びマイク２０の音声用孔２０ａの開口部がそのまま静電気の入力経路となる。このため、各孔部の中心近傍を経てマイク２０に向かって侵入する静電気を捕捉することは困難となる。
【００４０】
本実施の形態において、突起部２６は、保持部材２３の第２の孔部２３ａの周方向に沿って等間隔に複数設けることが好ましい。
【００４１】
図５は、本実施の形態の変形例における音声入出力部の構造を示す図であり、（ａ）は、図３（ｂ）に対応する要部拡大図、（ｂ）は、図３（ｃ）に対応するＡ−Ａ線断面図である。
【００４２】
図５（ａ）において、保持部材２３の第２の孔部２３ａの突起部２６は、第２の孔部２３ａの周方向に間隔を置いて複数、例えば、４個形成されている。４つの突起部２６は、第２の孔部２３ａの周方向に沿って９０度毎の等間隔に設けられている。突起部２６を等間隔に複数設けたことにより、音声を入出力する経路であるマイク２０の音声用孔２０ａの全周に亘って導電性の突起部を配置したことになる。これによって、突起部２６相互間の間隔においてより広い箇所がなくなるので、第２の孔部２３ａを経て装置内部に侵入しようとする静電気をより確実に捕捉することができ、静電気のマイク２０への印加をより一層防止することができる。
【００４３】
本実施の形態におおいて、突起部２６の厚みは、その先端部ほど薄くなるように形成されていることが好ましい。
【００４４】
図３（ｃ）及び図５（ｂ）において、突起部２６の先端部２６ａは、保持部材２３の上面と同一平面上にあり、突起部２６の根元部２６ｂは、保持部材２３の第２の孔部２３ａの外周面にある。突起部２６の下面（音響部材側の面）は、根元部２６ｂから先端部２６ａにかけてマイク２０から離れる方向に傾斜している。すなわち、突起部２６ａは、平面図上、先端部２６ａが尖っているだけでなく、断面図上でも先端部２６ａが尖った形状に形成されている。
【００４５】
これによって、マイク２０の音声用孔２０ａの上部に形成される集音部の領域を過度に狭めることなく、音声の良好な入力状態を確保しつつカメラ１の内部に配置されたマイク２０への静電気の印加を抑制することができる。
【００４６】
なお、本実施の形態において、突起部２６の下面は、根元部２６ｂから先端部２６ａにかけてマイク２０から離れる方向に直線的に傾斜しているが、円弧状に傾斜させてもよく、階段状に傾斜させてもよい。これによって、マイク２０の音声用孔２０ａの上部に形成される集音部の領域をより広く確保することができる。
【００４７】
本実施の形態において、保持部材２３における第２の孔部２３ａの外周面からの突出量は、Ｌａで表される。突起部２６の先端部２６ａは、平面図（図５（ａ））上、音声用孔２０ａの中心の近傍まで伸びていることが好ましい。図５（ｂ）から分かるように、突起部２６の先端部２６ａから音声用孔２０ａの中心までの距離Ｌｂは、保持部材２３の第２の孔部２３ａの半径Ｒｃ、押圧部材２２の第１の孔部２２ａの半径Ｒｂ、及びマイク２０の音声用孔２０ａの半径Ｒａよりも小さい。すなわち、平面図上、突起部２６の先端部２６ａから音声用孔２０ａの中心までの距離Ｌｂは、各孔部の半径に対して、Ｌｂ＜Ｒａ＜Ｒｂ＜Ｒｃとなるような関係である。平面図上、突起部２６の先端部２６ａから音声用孔２０ａの中心までの距離Ｌｂをマイク２０の音声用孔２０ａの半径Ｒａよりも小さくすることにより、進入する静電気が突起部２６に帯電され易くなるので、マイク２０への静電気の印加が抑制される。
【００４８】
本実施の形態において、突起部２６は、平面図上、保持部材２３の第２の孔部２３ａ、及びマイク２０の音声用孔２０ａの中心まで達するもの、すなわち、上記Ｌｂ=０となるものであってもよい。この場合、音声入出力孔の開口部を狭くしないように、突起部２６の太さを極力細くすることが好ましい。
【００４９】
本実施の形態において、突起部２６は、保持部材２３の第２の孔部の側面の一部を突出させたものとして説明したが、突起部２６は導電性材料で構成され、静電気を捕捉して保持部材２３を介してグランドプレート２５に伝達できるものであればよい。従って、突起部２６は、例えば、保持部材２３の第２の孔部２３ａの側面から当該孔部２３ａの中心部に向かって延びる導電性の金属棒であってもよい。
【００５０】
本実施の形態において、音声入出力部の構造としてマイク２０に音声を入力する構造について説明したが、音響部材はマイク２０に限定されるものではなく、装置本体の内部から外部へ音声を出力するスピーカーであってもよい。すなわち、本実施の形態において、音声入出力部の構造は、スピーカーから装置本体の外部に音声を出力する音声出力構造であってもよい。スピーカーから装置本体の外部に音声を出力する音声出力構造に、上述した実施の形態の構成を適用することによって、音声出力用の孔を介して侵入する静電気のスピーカーへの印加を抑制することができる。音響部材が、スピーカーである場合、押圧部材２２の音声入力孔としての第１の孔部２２ａに対応する孔部は、音声出力孔として機能する。音声入力孔と音声出力孔を総称して音声入出力孔という。
【００５１】
本実施の形態において、撮像装置をデジタルカメラとして説明した。しかしながら、撮像装置は、デジタルカメラに限定されるものではなく、本発明は、撮像機能を有し、音声入出力用の孔部及びその内部に配置された音響部材を備えたモバイルフォン、スマートフォン、その他の機器にも適用することができる。
【符号の説明】
【００５２】
１  カメラ
２０  マイク
２０ａ  音声用孔
２２  押圧部材
２２ａ  第１の孔部
２３  保持部材
２３ａ  第２の孔部
２６  突起部
２６ａ  先端部
２６ｂ  根元部
１００  音声入力用の孔部
２００  音声出力用の孔部
【図１】
2020113847.tif 000003
【図２】
2020113847.tif 000004
【図３】
2020113847.tif 000005
【図４】
2020113847.tif 000006
【図５】
2020113847.tif 000007